(57)【要約】【課題】高輝度の照明光を得るとともに、装置の小型化を図ることができる照明装置を提供することを目的とする。【解決手段】周方向に間隔をあけて円環状に並べられ、前記円環の半径方向内方に光軸を向けて配置された光源１０，２０，３０と、光源１０，２０，３０から射出された照明光をそれぞれ同一方向に導光する導光部材が円環の軸方向に連結された導光部４０と、導光部４０を軸方向に往復移動させるボイスコイルモータと、該ボイスコイルモータと同期して光源１０，２０，３０を切り換えて発光させる制御部とを備える照明装置１を提供する。【選択図】図１
2012023013.tif 000002
【特許請求の範囲】
【請求項１】
周方向に間隔をあけて円環状に並べられ、前記円環の半径方向内方に光軸を向けて配置された複数の光源と、
該複数の光源から射出された照明光をそれぞれ同一方向に導光する複数の導光部材が前記円環の軸方向に連結された導光部と、
該導光部を前記軸方向に往復移動させる移動機構と、
該移動機構と同期して前記複数の光源を断続的に順次切り換えて発光させる制御部とを備える照明装置。
【請求項２】
前記複数の導光部材が、少なくとも１つの前記光源から射出された照明光を前記同一方向に反射するプリズムと、少なくとも１つの前記光源から射出された照明光を前記同一方向に透過する光学部材である請求項１に記載の照明装置。
【請求項３】
前記複数の光源のうち少なくとも１つが、
互いに異なる発光スペクトルを有する複数の発光体と、
該複数の発光体から発せられた光を合成して前記半径方向内方に射出する光合成部とを有する請求項１に記載の照明装置。
【請求項４】
前記複数の導光部材が間隔を空けて連結されている請求項１に記載の照明装置。
【請求項５】
前記複数の導光部材間に反射部材が設けられている請求項１に記載の照明装置。
【請求項６】
前記制御部が、前記移動機構を停止させた状態で、前記導光部から前記同一方向に射出される少なくとも１つの前記光源を常時発光させる請求項１に記載の照明装置。
【請求項７】
前記制御部が、前記複数の光源を断続的に順次切り換えて発光させるパルス発光モードと、少なくとも１つの前記光源を常時発光させる常時発光モードとを有し、選択された発光モードに応じて前記光源および前記移動機構を制御する請求項６に記載の照明装置。
【請求項８】
前記複数の導光部材のうち少なくとも１つが、前記複数の光源のうち一方の光源からの照明光を前記同一方向に透過させる一方、他方の光源からの照明光を前記同一方向に反射する光学部材である請求項６に記載の照明装置。
【発明の詳細な説明】
【技術分野】
【０００１】
本発明は、照明装置に関するものである。
【背景技術】
【０００２】
従来、円環状に配置したＬＥＤ等の光源を高出力で順次パルス点灯させ、その点灯周期に合わせて導光ロッドを回転させることにより、各光源からの照明光を重畳させて高輝度の照明光を射出する照明装置が知られている（例えば、特許文献１参照）。
【先行技術文献】
【特許文献】
【０００３】
【特許文献１】特開２００８−１０２３０４号公報
【発明の概要】
【発明が解決しようとする課題】
【０００４】
しかしながら、特許文献１に記載の照明装置によれば、ＬＥＤ等の光源が円環状に配置するため、ＬＥＤの個数が多く必要となり、装置自体が大型化してしまうとともに、製造コストが増大してしまうという不都合がある。
【０００５】
本発明は、上記事情に鑑みてなされたもので、高輝度の照明光を得るとともに、装置の小型化を図ることができる照明装置を提供することを目的とする。
【課題を解決するための手段】
【０００６】
上記課題を解決するために、本発明は以下の手段を採用する。
本発明は、周方向に間隔をあけて円環状に並べられ、前記円環の半径方向内方に光軸を向けて配置された複数の光源と、該複数の光源から射出された照明光をそれぞれ同一方向に導光する複数の導光部材が前記円環の軸方向に連結された導光部と、該導光部を前記軸方向に往復移動させる移動機構と、該移動機構と同期して前記複数の光源を断続的に順次切り換えて発光させる制御部とを備える照明装置を採用する。
【０００７】
本発明によれば、移動機構により導光部が円環の軸方向に往復移動させられると、円環の軸方向に連結された複数の導光部材のうち、いずれかの導光部材が、常に、いずれかの光源の光軸に一致させられる。そして、制御部により、移動機構と同期してこれら光源が断続的に順次切り換えて発光させられる。これにより、複数の光源から射出された高強度の照明光を、連続的に同一方向に導光し、該同一方向に重畳して射出することができる。したがって、本発明によれば、高輝度の照明光を射出するとともに、装置の小型化を図ることができる。
【０００８】
上記発明において、前記複数の導光部材が、少なくとも１つの前記光源から射出された照明光を前記同一方向に反射するプリズムと、少なくとも１つの前記光源から射出された照明光を前記同一方向に透過する光学部材であることとしてもよい。
【０００９】
このように導光部材を構成することで、少なくとも１つの光源から射出された照明光が光学部材を透過するとともに、プリズムにより、少なくとも１つの光源から射出された照明光が、光学部材の透過方向に反射される。これにより、パルス発光により複数の光源から射出された高強度の照明光を、連続的に同一方向に導光し、該同一方向に重畳して射出することができる。
【００１０】
上記発明において、前記複数の光源のうち少なくとも１つが、互いに異なる発光スペクトルを有する複数の発光体と、該複数の発光体から発せられた光を合成して前記半径方向内方に射出する光合成部とを有することとしてもよい。
【００１１】
このようにすることで、複数の光源のうち少なくとも１つから、互いに異なる発光スペクトルが合成された光を、照明光として射出することができる。そして、これら光源から射出された照明光を重畳することで、白色光を照射する場合には、波長欠落のない演色性の高い白色光を照明することができる。
【００１２】
また、特定の波長を有する光を照射する場合には、光源全体を消灯するのではなく、必要な波長を有する光を発する発光体のみを発光させればよい。これにより、特定の波長を有する光を照射する場合にも、各光源からの照明光を重畳して射出することができ、照明光の強度を向上することができる。
【００１３】
上記発明において、前記複数の導光部材が間隔を空けて連結されていることとしてもよい。
このようにすることで、複数の導光部材内に入射した照明光を全反射させて同一方向に導光することができ、照明光の光量低下を防止することができる。なお、導光部材として例えば中空の透明部材を採用し、その内面に高反射コーティングを施すことで反射率を向上することができる。
【００１４】
上記発明において、前記複数の導光部材間に反射部材が設けられていることとしてもよい。
このようにすることで、複数の導光部材内に入射した照明光を反射部材により全反射させて同一方向に導光することができ、射出される照明光の光量低下を防止することができる。なお、具体的には、反射部材として、例えば高反射率を有する反射シートや反射コーティング層を採用すればよい。
【００１５】
上記発明において、前記制御部が、前記移動機構を停止させた状態で、前記導光部から前記同一方向に射出される少なくとも１つの前記光源を常時発光させることとしてもよい。
このようにすることで、制御部により、移動機構を停止させた状態、すなわち導光部が停止された状態で、複数の光源のうち、導光部から前記同一方向（導光部の射出方向）に照明光が射出される少なくとも１つの光源が常時発光させられる。これにより、特定の光源からの照明光、すなわち特定色の照明光を、導光部から前記同一方向（導光部の射出方向）に連続的に射出することができる。
【００１６】
上記発明において、前記制御部が、前記複数の光源を断続的に順次切り換えて発光させるパルス発光モードと、少なくとも１つの前記光源を常時発光させる常時発光モードとを有し、選択された発光モードに応じて前記光源および前記移動機構を制御することとしてもよい。
このようにすることで、パルス発光モードが選択された場合には、移動機構と同期して複数の光源が断続的に順次切り換えて発光させられて、高強度の照明光が同一方向に重畳して射出される。一方、常時発光モードが選択された場合には、移動機構（導光部）を停止させた状態で特定の光源が常時発光させられて、特定色の照明光が前記同一方向（導光部の射出方向）に連続的に射出される。このような２つの発光モードを有することで、用途に応じて高強度の照明光と特定色の照明光とを切り替えて射出することができる。
【００１７】
上記発明において、前記複数の導光部材のうち少なくとも１つが、前記複数の光源のうち一方の光源からの照明光を前記同一方向に透過させる一方、他方の光源からの照明光を前記同一方向に反射する光学部材であることとしてもよい。
このようにすることで、例えばダイクロイックプリズム等の光学部材が光源の射出光軸上に配置するように移動機構（導光部）を停止させることによって、一方の光源からの光を前記同一方向に透過させるとともに、他方の光源からの光を前記同一方向に反射することができる。これにより、一方の光源からの照明光と他方の光源からの照明光とを合成して、合成した照明光を導光部から前記同一方向（導光部の射出方向）に連続的に射出することができる。
【発明の効果】
【００１８】
本発明によれば、高輝度の照明光を得るとともに、装置の小型化を図ることができるという効果を奏する。
【図面の簡単な説明】
【００１９】
【図１】本発明の第１の実施形態に係る照明装置の概略構成図である。
【図２】図１の導光部を模式的に示した斜視図である。
【図３】図２の光学部材を模式的に示した斜視図である。
【図４】図２のプリズムを模式的に示した斜視図である。
【図５】図２の光学部材およびプリズムを連結した状態を示す平面図である。
【図６】図２の導光部の保持機構を模式的に示した斜視図である。
【図７】図１の照明装置の動作を説明する図である（第２の光源点灯時）。
【図８】図１の照明装置の動作を説明する図である（第１の光源点灯時）。
【図９】図１の照明装置の動作を説明する図である（第３の光源点灯時）。
【図１０】図１の導光部と保持鏡枠との相対位置関係を説明する図である。
【図１１】図１の照明装置における各光源の点灯タイミングと導光部の位置との関係を示すグラフである。
【図１２】図１の照明装置により射出される照明光の光学効率を示すグラフである。
【図１３】本発明の第２の実施形態に係る照明装置の概略構成を示しており、該照明装置の動作を説明する図である（第２の光源点灯時）。
【図１４】図１３の照明装置の動作を説明する図である（第１の光源点灯時）。
【図１５】図１３の照明装置の動作を説明する図である（第３の光源点灯時）。
【図１６】図１３の照明装置において、第１の光源の各発光体ユニットの放射スペクトルを示すグラフである。
【図１７】図１３の照明装置において、第２の光源の各発光体ユニットの放射スペクトルを示すグラフである。
【図１８】図１３の照明装置において、第３の光源の各発光体ユニットの放射スペクトルを示すグラフである。
【図１９】図１３の照明装置により射出される照明光の放射スペクトルを示すグラフである（白色モード）。
【図２０】図１３の照明装置により射出される照明光の放射スペクトルを示すグラフである（特定色モード）。
【図２１】第１の変形例として示す各光源の概略構成図である。
【図２２】第２の変形例として示す各光源の概略構成図である。
【図２３】本発明の第３の実施形態に係る照明装置の概略構成図である。
【図２４】本発明の第４の実施形態に係る照明装置の導光部の概略構成図である。
【図２５】図２４の変形例として示す導光部の概略構成図である。
【発明を実施するための形態】
【００２０】
〔第１の実施形態〕
以下に、本発明の第１の実施形態に係る照明装置について、図１から図１２を参照して説明する。
本実施形態に係る照明装置１は、図１に示すように、複数の光源からの照明光を重畳して、矢印Ａの示す方向に射出する照明装置である。照明装置１は、周方向に間隔をあけて円環状に並べられた光源１０，２０，３０と、これら光源１０，２０，３０から射出された照明光を導光する導光部４０と、導光部４０を前記円環の軸方向（紙面に直交する方向）に往復移動させるボイスコイルモータ（移動機構、図７参照）５０と、これらを制御する制御部（図示略）とを備えている。
【００２１】
第１の光源１０は、例えばＬＥＤ等の第１の発光体１１と、第１の発光体１１を固定する第１の基板１２と、第１の発光体１１から射出された照明光を導光部４０に導光する第１の導光ロッド１３とを有している。
【００２２】
第２の光源２０は、第１の光源１０と同様の構成を有しており、第２の発光体２１と、第２の基板２２と、第２の導光ロッド２３とを有している。
第３の光源３０も、第１の光源１０と同様の構成を有しており、第３の発光体３１と、第３の基板３２と、第３の導光ロッド３３とを有している。
【００２３】
これら光源１０，２０，３０は、円環の中心軸に直交する同一平面上において、周方向に間隔をあけて並べられ、円環の半径方向内方に光軸を向けて配置されている。これら光源１０，２０，３０は、図示しない電源から駆動電流が発光体１１，２１，３１に供給されることにより、円環の半径方向内方に照明光をそれぞれ射出するようになっている。
【００２４】
導光部４０は、光源１０，２０，３０が形成する円環の中心軸上に配置されている。導光部４０は、図２に示すように、第１の光源１０からの照明光を透過する光学部材４１と、第２の光源２０からの照明光を偏向するプリズム４２と、第３の光源３０からの照明光を偏向するプリズム４３とを有している。
【００２５】
光学部材４１は、図３に示すように、例えば立方体形状を有しており、中空に形成された例えばガラス等の透明部材である。光学部材４１は、第１の光源１０に対向されて配置された入射面４１ａと、矢印Ａの示す方向に向けて配置された出射面４１ｂとを有している。これにより、光学部材４１は、第１の光源１０からの照明光を、入射面４１ａに入射させ、出射面４１ｂから矢印Ａの示す方向に出射するようになっている。また、光学部材４１は、中空の内面側に反射コーティングが施されており、第１の光源１０からの照明光を効率的に導光するようになっている。
【００２６】
プリズム４２，４３は、図４に示すように、例えばガラス等の透明部材で形成され、照明光を直角に偏向する三角プリズムである。
プリズム４２は、第２の光源２０に対向されて配置された入射面４２ａと、矢印Ａの示す方向に向けて配置された出射面４２ｂと、入射面４２ａに入射させた照明光を出射面４２ｂに向けて反射する反射面４２ｃとを有している。これにより、プリズム４２は、第２の光源２０からの照明光を、入射面４２ａに入射させ、反射面４２ｃにより反射して、出射面４２ｂから矢印Ａの示す方向に出射するようになっている。
【００２７】
プリズム４３は、第３の光源３０に対向されて配置された入射面４３ａと、矢印Ａの示す方向に向けて配置された出射面４３ｂと、入射面４３ａに入射させた照明光を出射面４３ｂに向けて反射する反射面４３ｃとを有している。これにより、プリズム４３は、第３の光源３０からの照明光を、入射面４３ａに入射させ、反射面４３ｃにより反射して、出射面４３ｂから矢印Ａの示す方向に出射するようになっている。
プリズム４２，４３は、内面側に反射コーティングを施しても良く、光源２０，３０からの照明光をそれぞれ効率的に導光するようになっている。
【００２８】
上記の光学部材４１およびプリズム４２，４３は、図５および図６に示すように、光源１０，２０，３０が形成する円環の中心軸方向に配列され、それぞれ間隔をあけて保持部４５により連結されている。このように連結された光学部材４１およびプリズム４２，４３（すなわち導光部４０）は、図６に示すように、保持鏡枠４６内に移動可能に配置される。
【００２９】
保持鏡枠４６は、正方形の横断面を有する筒状に構成されており、その中心軸が、光源１０，２０，３０が形成する円環の中心軸に合わせて配置されている。これにより、導光部４０は、保持鏡枠４６に対して、光源１０，２０，３０が形成する円環の中心軸方向に相対移動させられるようになっている。また、保持鏡枠４６は、中心軸方向の略中央位置において、各側面（４面）に照明光を通過させる導光窓４７を有している。導光窓４７は、開口でもよく、光を透過させる透明部材であってもよい。
【００３０】
このような構成を有することで、導光部４０が、光源１０，２０，３０が形成する円環の中心軸方向に往復移動させられることにより、円環の中心軸方向に連結された光学部材４１およびプリズム４２，４３のうち、いずれかが、常に、いずれかの光源の光軸に一致させられる。これにより、導光部４０は、光源１０，２０，３０から射出された照明光を、導光窓４７に入射させ、それぞれ同一方向（矢印Ａの示す方向）に導光するようになっている。
【００３１】
導光部４０は、図７に示すように、保持鏡枠４６の中心軸方向に延びる接続部材５１により、ボイスコイルモータ５０に接続されている。
ボイスコイルモータ５０は、円筒形状の外筒５４と、外筒５４の内面に配置された一対の磁石５３と、外筒５４内に中心軸方向に移動可能に配置され、コイル状に導線が巻かれたボイスコイル部５２と、ボイスコイル部５２と導光部４０とを接続する接続部材５１とを有している。
【００３２】
ボイスコイルモータ５０は、フレミングの左手の法則により、一対の磁石５３により形成された磁界の方向およびボイスコイル部５２に流れる電流の方向と直交する方向に力が発生するようになっている。したがって、ボイスコイルモータ５０は、ボイスコイル部５２に流す電流の向きを変化させることで、保持鏡枠４６内に配置された導光部４０を、保持鏡枠４６の中心軸方向（光源１０，２０，３０が形成する円環の中心軸方向）に往復運動させるようになっている。
【００３３】
制御部は、ボイスコイルモータ５０と同期して光源１０，２０，３０を断続的に順次切り換えて発光させるようになっている。具体的には、制御部は、図７に示すように、光源１０，２０，３０が配置された平面上にプリズム４２が配置されている状態において、第２の光源２０を発光させる。また、制御部は、図８に示すように、光源１０，２０，３０が配置された平面上に光学部材４１が配置されている状態において、第１の光源１０を発光させる。また、制御部は、図９に示すように、光源１０，２０，３０が配置された平面上にプリズム４３が配置されている状態においては、第３の光源３０を発光させる。
【００３４】
上記構成を有する照明装置１の作用について以下に説明する。
ここでは、具体例として、図１０に示すように、光学部材４１およびプリズム４２，４３の一辺の長さａが４．０ｍｍの場合について説明する。また、図１１に示すように、各光源の点灯周期は、第１の光源１０が１２０Ｈｚ、第２の光源２０が６０Ｈｚ、第３の光源３０が６０Ｈｚと設定されていることとする。
【００３５】
ボイスコイル部５２に電流を供給してボイスコイルモータ５０を動作させると、光学部材４１およびプリズム４２，４３が連結された導光部４０が、光源１０，２０，３０が形成する円環の中心軸方向に往復運動させられる。その際の振幅は、本具体例においては４．０ｍｍであり、プリズム４２とプリズム４３との中心位置が位置Ｘ＝０となる振幅、すなわち、プリズム４２とプリズム４３との中心位置が初期状態における光学部材４１の中心位置に一致するような振幅である。また、制御部により、この導光部４０の往復運動と同期して、光源１０，２０，３０が断続的に順次切り換えて点灯させられる。
【００３６】
具体的には、図１１に示すように、往復運動開始時（０ｍｓ後）において、光学部材４１の中心位置は０．０ｍｍ、プリズム４２の中心位置は４．０ｍｍ、プリズム４３の中心位置は−４．０ｍｍである。この状態が図８に示す配置である。この位置から、導光部４０は、ボイスコイルモータ５０により、図８および図１０において右方向に移動させられる。この場合において、制御部により、第１の光源１０および第３の光源３０が断続的に順次切り換えて点灯させられる。
【００３７】
そして、往復運動開始から約４ｍｓ後（往復運動の１／４周期経過後）には、光学部材４１の中心位置は４．０ｍｍ、プリズム４２の中心位置は８．０ｍｍ、プリズム４３の中心位置は０．０ｍｍとなる。この状態が図９に示す配置である。この位置から、導光部４０は、ボイスコイルモータ５０により、図９および図１０において左方向に移動させられる。この場合において、制御部により、第３の光源３０のみが点灯させられている。
【００３８】
そして、往復運動開始から約８ｍｓ後（往復運動の１／２周期経過後）には、再び、光学部材４１の中心位置は０．０ｍｍ、プリズム４２の中心位置は４．０ｍｍ、プリズム４３の中心位置は−４．０ｍｍとなる。この状態が図８に示す配置である。この位置から、導光部４０は、ボイスコイルモータ５０により、図８および図１０において左方向に更に移動させられる。この場合において、制御部により、第１の光源１０を点灯させ、第３の光源３０の点灯を終了するとともに、第２の光源２０の点灯を開始する。
【００３９】
そして、往復運動開始から約１２ｍｓ後（往復運動の３／４周期経過後）には、光学部材４１の中心位置は−４．０ｍｍ、プリズム４２の中心位置は０．０ｍｍ、プリズム４３の中心位置は−８．０ｍｍとなる。この状態が図７に示す配置である。この位置から、導光部４０は、ボイスコイルモータ５０により、図７および図１０において右方向に移動させられる。この場合において、制御部により、第２の光源２０のみが点灯させられている。
【００４０】
そして、往復運動開始から約１６ｍｓ後（往復運動の１周期経過後）には、再び、光学部材４１の中心位置は０．０ｍｍ、プリズム４２の中心位置は４．０ｍｍ、プリズム４３の中心位置は−４．０ｍｍとなる。この状態が図８に示す配置である。この位置から、導光部４０は、ボイスコイルモータ５０により、図８および図１０において右方向に更に移動させられる。この場合において、制御部により、第１の光源１０を点灯させ、第２の光源２０の点灯を終了させるとともに、第３の光源３０の点灯を開始する。
以下、上記の往復運動および光源１０，２０，３０の点灯制御を繰り返す。
【００４１】
このように導光部４０の往復運動と同期して光源１０，２０，３０を断続的に順次切り換えて点灯させることで、図１２に示すように、光源１０，２０，３０からの光を重畳して高輝度の照明光を射出することができる。ここで、符号６１は第１の光源１０からの照明光の光学効率、符号６２は第２の光源２０からの照明光の光学効率、符号６３は第３の光源３０からの照明光の光学効率、符号６４は光源１０，２０，３０からの照明光を重畳した重畳光の光学効率を示している。
【００４２】
以上のように、本実施形態に係る照明装置１によれば、ボイスコイルモータ５０により導光部４０が、光源１０，２０，３０が形成する円環の中心軸方向に往復移動させられると、円環の中心軸方向に連結された光学部材４１およびプリズム４２，４３のうち、いずれかが、常に、いずれかの光源の光軸に一致させられる。そして、制御部により、ボイスコイルモータ５０と同期して、これら光源１０，２０，３０が断続的に順次切り換えて発光させられる。これにより、光源１０，２０，３０から射出された高強度の照明光を、連続的に同一方向（矢印Ａの示す方向）に導光し、同一方向に重畳して射出することができる。
【００４３】
また、本実施形態に係る照明装置１は、導光部４０を円環の中心軸方向に往復運動させる構成であるため、導光部４０を円環の中心軸周りに回転させる構成に比べて、周方向に配置する光源の数を減らすとともに、導光部４０の回転軌道のためのスペースを無くすことができ、装置の小型化を図ることができる。
【００４４】
また、光学部材４１、プリズム４２、およびプリズム４３を間隔を空けて連結することで、これら光学部材４１およびプリズム４２，４３内に入射した照明光を、全反射させて同一方向（矢印Ａの示す方向）に導光することができ、照明光の光量低下を防止することができる。
【００４５】
また、光学部材４１およびプリズム４２，４３の内面に高反射コーティングを施すことで、光学部材４１およびプリズム４２，４３内に入射させた照明光を全反射させて、効率的に導光することができる。
【００４６】
なお、本実施形態において、光学部材４１、プリズム４２、およびプリズム４３間に反射部材を設けることとしてもよい。具体的には、反射部材として、例えば高反射率を有する反射シートや反射コーティング層を採用すればよい。
このようにすることで、隙間を設ける場合と同様に、入射させた照明光を全反射させて、効率的に導光することができる。
【００４７】
〔第２の実施形態〕
次に、本発明の第２の実施形態に係る照明装置２について、主に図１３から図２０を参照して説明する。
本実施形態に係る照明装置２が第１の実施形態に係る照明装置１と異なる点は、各光源が互いに異なる発光スペクトルを有する複数の発光体から構成されている点である。以下、本実施形態の照明装置２について、第１の実施形態に係る照明装置１と共通する点については説明を省略し、異なる点について主に説明する。
【００４８】
本実施形態に係る照明装置２は、図１３に示すように、周方向に間隔をあけて円環状に並べられた光源１０，２０，３０と、これら光源１０，２０，３０から射出された照明光を導光する導光部４０と、導光部４０を前記円環の中心軸方向（図１３において左右方向）に往復移動させるボイスコイルモータ（移動機構、図７参照）５０と、これらを制御する制御部（図示略）とを備えている。
なお、図１３において、第１の光源１０は、光学部材４１の背面側（紙面鉛直方向）に配置されているが、作図の都合上、模式的に導光部４０の紙面左側に表示している。
【００４９】
光源１０，２０，３０は、同様の構成を有しているため、ここでは第２の光源２０を代表例として図１３を用いて説明する。
第２の光源２０は、Ｒ成分の照明光を射出する発光体ユニット２５と、Ｇ成分の照明光を射出する発光体ユニット２６と、Ｂ成分の照明光を射出する発光体ユニット２７と、発光体ユニット２５から射出された照明光と発光体ユニット２６から射出された照明光とを合成する第１のダイクロイックプリズム（光合成部）２８と、第１のダイクロイックプリズム２８からの照明光と発光体ユニット２７から射出された照明光とを合成する第２のダイクロイックプリズム（光合成部）２９とを有している。
【００５０】
発光体ユニット２５は、光源１０，２０，３０が形成する円環の半径方向内方に光軸を向けて配置されている。発光体ユニット２６，２７は、前記半径方向に直交する方向（円環の中心軸に沿う方向）に光軸を向けて配置されている。
【００５１】
発光体ユニット２５，２６，２７は、例えばＬＥＤ等の発光体と、該発光体を固定する基板と、発光体から射出された照明光を導光する導光ロッドとを、それぞれ有している。なお、発光体ユニット２５，２６，２７は、それぞれの発光体の発光スペクトルが互いに異なる以外は同様の構成を有している。
【００５２】
第１のダイクロイックプリズム２８は、発光体ユニット２５の光軸と発光体ユニット２６の光軸が交わる位置に配置されている。第１のダイクロイックプリズム２８は、発光体ユニット２５から射出された照明光を透過する一方、発光体ユニット２６から射出された照明光を半径方向内方に反射するようになっている。これにより、第１のダイクロイックプリズム２８は、発光体ユニット２５から射出された照明光と発光体ユニット２６から射出された照明光とを合成して、合成光を半径方向内方に導光するようになっている。
【００５３】
第２のダイクロイックプリズム２９は、発光体ユニット２５の光軸と発光体ユニット２７の光軸が交わる位置に配置されている。第２のダイクロイックプリズム２９は、第１のダイクロイックプリズム２８により合成された合成光を透過する一方、発光体ユニット２７から射出された照明光を半径方向内方に反射するようになっている。これにより、第２のダイクロイックプリズム２９は、第１のダイクロイックプリズム２８からの合成光と発光体ユニット２７から射出された照明光とを合成して、合成光を半径方向内方に導光するようになっている。
【００５４】
上記構成を有することで、第２の光源２０は、互いに異なる発光スペクトルを有する発光体ユニット２５，２６，２７から射出された照明光を合成して、合成光を導光部４０に向けて射出するようになっている。
【００５５】
第１の光源１０および第３の光源３０も、第２の光源２０と同様の構成を有している。
すなわち、第１の光源１０は、図１４に示すように、互いに異なる発光スペクトルを有する発光体ユニット１５，１６，１７から射出された照明光を合成して、合成光を導光部４０に向けて射出するようになっている。
【００５６】
また、第３の光源３０は、図１５に示すように、互いに異なる発光スペクトルを有する発光体ユニット３５，３６，３７から射出された照明光を合成して、合成光を導光部４０に向けて射出するようになっている。
【００５７】
導光部４０は、第１の実施形態に係る照明装置１と同様の構成を有しており、光源１０，２０，３０が形成する円環の中心軸上に配置されている。そして、導光部４０が、光源１０，２０，３０が形成する円環の中心軸方向に往復移動させられることにより、円環の中心軸方向に連結された光学部材４１およびプリズム４２，４３のうち、いずれかが、常に、いずれかの光源の光軸に一致させられる。これにより、導光部４０は、光源１０，２０，３０から射出された照明光を、それぞれ同一方向に導光するようになっている。
【００５８】
上記構成を有する照明装置２の作用について以下に説明する。
ボイスコイル部５２に電流を供給してボイスコイルモータ５０を動作させると、光学部材４１およびプリズム４２，４３が連結された導光部４０が、光源１０，２０，３０が形成する円環の中心軸方向に往復運動させられる。また、制御部により、この導光部４０の往復運動と同期して、光源１０，２０，３０が断続的に順次切り換えてに点灯させられる。
【００５９】
具体的には、往復運動開始時において、導光部４０は図１４に示す配置となっている。この位置から、導光部４０は、ボイスコイルモータ５０により、図１４において右方向に移動させられる。この場合において、制御部により、第１の光源１０および第３の光源３０が断続的に順次切り換えて点灯させられる。
【００６０】
そして、往復運動開始から往復運動の１／４周期経過後には、導光部４０は図１５に示す配置となっている。この位置から、導光部４０は、ボイスコイルモータ５０により、図１５において左方向に移動させられる。この場合において、制御部により、第３の光源３０のみが点灯させられている。
【００６１】
そして、往復運動開始から往復運動の１／２周期経過後には、再び、導光部４０は図１４に示す配置となっている。この位置から、導光部４０は、ボイスコイルモータ５０により、図１４において左方向に更に移動させられる。この場合において、制御部により、第１の光源１０を点灯させ、第３の光源３０の点灯を終了するとともに、第２の光源２０の点灯を開始する。
【００６２】
そして、往復運動開始から往復運動の３／４周期経過後には、導光部４０は図１３に示す配置となっている。この位置から、導光部４０は、ボイスコイルモータ５０により、図１３において右方向に移動させられる。この場合において、制御部により、第２の光源２０のみが点灯させられている。
【００６３】
そして、往復運動開始から往復運動の１周期経過後には、導光部４０は図１４に示す配置となっている。この位置から、導光部４０は、ボイスコイルモータ５０により、図１４において右方向に更に移動させられる。この場合において、制御部により、第１の光源１０を点灯させ、第２の光源２０の点灯を終了させるとともに、第３の光源３０の点灯を開始する。
以下、上記の往復運動および光源１０，２０，３０の点灯制御を繰り返す。
【００６４】
ここで、第１の光源１０の発光体ユニット１５，１６，１７の放射スペクトルが図１６に、第２の光源２０の発光体ユニット２５，２６，２７の放射スペクトルが図１７に、第３の光源３０の発光体ユニット３５，３６，３７の放射スペクトルが図１８に、それぞれ示されている。このように、各発光体ユニットからの照明光は互いに異なるスペクトルを有している。
【００６５】
このような本実施形態に係る照明装置２において、白色光を照射する場合には、光源１０，２０，３０の全ての発光体ユニットを駆動させ、これら全ての発光体ユニットからの照明光を導光部４０により重畳する。これにより、図１９に示すように、互いに異なるスペクトルを有する各発光体ユニットからの照明光を重畳して、波長欠落のない演色性の高い白色光を照明することができる。
【００６６】
また、特定の波長を有する光を照射する場合には、必要な波長を有する光を発する発光体のみを発光させればよい。具体的には、例えば、光源１０，２０，３０において、Ｒ成分およびＢ成分の照明光を発する発光体ユニットのみを発光させる。
【００６７】
これにより、図２０に示すように、光源１０，２０，３０を消灯させることなく、常に、いずれかの光源からの照明光を導光部４０に入射させ、同一方向に重畳して射出することができる。すなわち、本実施形態に係る照明装置２によれば、特定の波長を有する光を照射する場合にも、各光源からの照明光を連続的に射出することができ、照明光の強度を向上することができる。
【００６８】
［第１の変形例］
なお、本実施形態に係る照明装置２の第１の変形例として、図２１に示すように、第１のダイクロイックプリズム２８および第２のダイクロイックプリズム２９に代えて、それぞれ同様の透過反射特性を有する第１のダイクロイックミラー６１および第２のダイクロイックミラー６２を備えることとしてもよい。
【００６９】
このような構成とすることで、図１３に示す構成と同様に、互いに異なる発光スペクトルを有する発光体ユニット２５，２６，２７から射出された照明光を合成して、合成光を導光部４０に向けて射出することができる。なお、第１の光源１０および第３の光源３０も、本変形例の第２の光源２０と同様の構成を有することとしてもよい。
【００７０】
［第２の変形例］
また、本実施形態に係る照明装置２の第２の変形例として、図２２に示すように、発光体ユニット２５を、光源１０，２０，３０が形成する円環の半径方向に直交する方向（円環の中心軸に沿う方向）に光軸を向けて配置し、発光体ユニット２５から射出された照明光を第１のダイクロイックプリズム２８に向けて反射するプリズム６３を設けることとしてもよい。
【００７１】
このような構成とすることで、図１３に示す構成と同様に、互いに異なる発光スペクトルを有する発光体ユニット２５，２６，２７から射出された照明光を合成して、合成光を導光部４０に向けて射出することができる。また、発光体ユニット２５を、第１のダイクロイックプリズム２８の半径方向外方ではなく、発光体ユニット２６，２７と並べて配置することができ、装置の小型化を図ることができる。なお、第１の光源１０および第３の光源３０も、本変形例の第２の光源２０と同様の構成を有することとしてもよい。
【００７２】
〔第３の実施形態〕
次に、本発明の第３の実施形態に係る照明装置３について、主に図２３を参照して説明する。
本実施形態に係る照明装置３が前述の各実施形態に係る照明装置と異なる点は、第１の実施形態に係る照明装置１を複数備え、これら照明装置からの照明光を合成する点である。以下、本実施形態の照明装置３について、前述の各実施形態に係る照明装置と共通する点については説明を省略し、異なる点について主に説明する。
【００７３】
本実施形態に係る照明装置３は、図２３に示すように、Ｒ成分の照明光を射出する照明装置１Ｒと、Ｇ成分の照明光を射出する照明装置１Ｇと、Ｂ成分の照明光を射出する照明装置１Ｂと、これら照明装置からの照明光を合成する光合成部７０とを備えている。
【００７４】
照明装置１Ｒは、第１の実施形態に係る照明装置１と同様の構成を有しており、光源１０，２０，３０からの照明光を重畳して、Ｒ成分の照明光を光合成部７０に向けて射出するようになっている。照明装置１Ｒにおいて、光源１０，２０，３０は、それぞれ、Ｒ２成分の照明光（中心波長７００ｎｍ）、Ｒ３成分の照明光（中心波長７５０ｎｍ）、Ｒ１成分の照明光（中心波長６５０ｎｍ）を射出するようになっている。
【００７５】
照明装置１Ｇは、第１の実施形態に係る照明装置１と同様の構成を有しており、光源１０，２０，３０からの照明光を重畳して、Ｇ成分の照明光を光合成部７０に向けて射出するようになっている。照明装置１Ｇにおいて、光源１０，２０，３０は、それぞれ、Ｇ２成分の照明光（中心波長５５０ｎｍ）、Ｇ３成分の照明光（中心波長６００ｎｍ）、Ｇ１成分の照明光（中心波長５００ｎｍ）を射出するようになっている。
【００７６】
照明装置１Ｂは、第１の実施形態に係る照明装置１と同様の構成を有しており、光源１０，２０，３０からの照明光を重畳して、Ｂ成分の照明光を光合成部７０に向けて射出するようになっている。照明装置１Ｂにおいて、光源１０，２０，３０は、それぞれ、Ｂ２成分の照明光（中心波長４００ｎｍ）、Ｂ３成分の照明光（中心波長４５０ｎｍ）、Ｂ１成分の照明光（中心波長３５０ｎｍ）を射出するようになっている。
【００７７】
光合成部７０は、照明装置１Ｂからの照明光を偏向するプリズム７１と、プリズム７１により偏向された照明光を導光する導光部７２と、導光部７２により導光されてきた照明装置１Ｂからの照明光と照明装置１Ｇからの照明光とを合成するダイクロイックプリズム７３と、ダイクロイックプリズム７３により合成された合成光を導光する導光部７４と、導光部７２により導光されてきた合成光と照明装置１Ｒからの照明光とを合成するダイクロイックプリズム７５とを備えている。
上記構成を有することで、光合成部７０は、照明装置１Ｒ，１Ｇ，１Ｂからの照明光を合成して射出するようになっている。
【００７８】
照明装置１Ｒ，１Ｇ，１Ｂにおいて、導光部４０は、第１の実施形態と同様に、光源１０，２０，３０が形成する円環の中心軸上に配置されている。そして、導光部４０が、光源１０，２０，３０が形成する円環の中心軸方向（図２３において紙面に直交する方向）に往復移動させられることにより、円環の中心軸方向に連結された光学部材４１およびプリズム４２，４３のうち、いずれかが、常に、いずれかの光源の光軸に一致させられる。これにより、照明装置１Ｒ，１Ｇ，１Ｂにおいて、導光部４０は、光源１０，２０，３０から射出された照明光を、それぞれ光合成部７０に導光するようになっている。
【００７９】
上記構成を有する本実施形態に係る照明装置３によれば、第２の実施形態と同様に、白色光を照射する場合には、照明装置１Ｒ，１Ｇ，１Ｂにおける全ての光源１０，２０，３０を駆動させ、これら全ての光源からの照明光を光合成部７０により合成する。これにより、互いに異なるスペクトルを有する各光源からの照明光を重畳して、波長欠落のない演色性の高い白色光を照明することができる。
【００８０】
また、特定の波長を有する光を照射する場合には、必要な波長を有する光を発する光源のみを発光させればよい。その時には、いずれかの照明装置またはいずれかの光源のみを発光させる。
【００８１】
これにより、常に、いずれかの照明装置またはいずれかの光源からの照明光を光合成部７０に入射させ、同一方向に重畳して射出することができる。すなわち、本実施形態に係る照明装置３によれば、特定の波長を有する光を照射する場合にも、各光源からの照明光を連続的に射出することができ、照明光の強度を向上することができる。
【００８２】
〔第４の実施形態〕
次に、本発明の第４の実施形態に係る照明装置４について、主に図２４を参照して説明する。
本実施形態に係る照明装置４が前述の各実施形態に係る照明装置と異なる点は、導光部４０を停止させた状態で、特定の光源を常時発光させる点である。以下、本実施形態の照明装置４について、前述の各実施形態に係る照明装置と共通する点については説明を省略し、異なる点について主に説明する。
【００８３】
本実施形態に係る照明装置４は、図２４に示すように、例えば第１の実施形態に係る照明装置１と同様の構成（図１参照）を有しており、周方向に間隔をあけて円環状に並べられた光源１０，２０，３０（図１参照）と、これら光源１０，２０，３０から射出された照明光を導光する導光部４０と、導光部４０を前記円環の軸方向（紙面に直交する方向）に往復移動させるボイスコイルモータ（移動機構、図７参照）５０と、これらを制御する制御部（図示略）とを備えている。
【００８４】
導光部４０は、光源１０，２０，３０が形成する円環の中心軸上に配置されている。導光部４０は、図２４に示すように、第１の光源１０からの照明光を透過する光学部材４１と、第２の光源２０からの照明光を偏向するプリズム４２と、図２のプリズム４３に代えてダイクロイックプリズム（光学部材）４４とを有している。
【００８５】
ダイクロイックプリズム４４は、複数の光源のうち、一方の光源（例えば第１の光源１０）からの照明光を矢印Ａの示す方向に透過させる一方、他方の光源（例えば第３の光源３０）からの照明光を矢印Ａの示す方向に反射するようになっている。
【００８６】
上記の光学部材４１、プリズム４２、およびダイクロイックプリズム４４は、光源１０，２０，３０が形成する円環の中心軸方向に配列され、それぞれ間隔をあけて中心軸方向に連結されている。
【００８７】
上記構成を有する導光部４０は、第１の実施形態と同様に、ボイスコイルモータ５０に接続されており、該ボイスコイルモータ５０により、光源１０，２０，３０が形成する円環の中心軸方向に往復移動させられる。これにより、円環の中心軸方向に連結された光学部材４１、プリズム４２、およびダイクロイックプリズム４４のうち、いずれかが、常に、いずれかの光源の光軸に一致させられる。これにより、導光部４０は、光源１０，２０，３０から射出された照明光を、それぞれ同一方向（矢印Ａの示す方向）に導光するようになっている。
【００８８】
制御部は、ボイスコイルモータ５０と同期して光源１０，２０，３０を断続的に順次切り換えて発光させるようになっている。
また、制御部は、ボイスコイルモータ５０を停止させた状態で、導光部４０から同一方向（矢印Ａの示す方向）に射出される光源を常時発光させるようになっている。
【００８９】
具体的には、制御部は、光源１０，２０，３０が配置された平面上にプリズム４２が配置されるようにボイスコイルモータ５０（導光部４０）を停止させた状態において、第２の光源２０を常時発光（ＤＣ発光）させる。また、制御部は、光源１０，２０，３０が配置された平面上に光学部材４１が配置されるようにボイスコイルモータ５０（導光部４０）を停止させた状態において、第１の光源１０を常時発光（ＤＣ発光）させる。また、制御部は、光源１０，２０，３０が配置された平面上にダイクロイックプリズム４４が配置されるようにボイスコイルモータ５０（導光部４０）を停止させた状態において、第３の光源３０を常時発光（ＤＣ発光）させる。
【００９０】
ここで、本実施形態に示す例において、ダイクロイックプリズム４４は、前述のように、第１の光源１０からの照明光を矢印Ａの示す方向に透過させる一方、第３の光源３０からの照明光を矢印Ａの示す方向に反射する特性を有している。したがって、制御部は、光源１０，２０，３０が配置された平面上にダイクロイックプリズム４４が配置されるようにボイスコイルモータ５０（導光部４０）を停止させた状態において、第３の光源３０に加えて、第１の光源１０を常時発光（ＤＣ発光）させることとしてもよい。これにより、第１の光源１０からの照明光と第３の光源３０からの照明光とを合成して、合成した照明光を導光部４０から同一方向（矢印Ａの示す方向）に連続的に射出することができる。
【００９１】
なお、この場合において、光源１０，２０，３０が配置された平面上にダイクロイックプリズム４４が配置された状態において、第１の光源１０と第３の光源３０のいずれか一方のみを常時発光（ＤＣ発光）させることとしてもよい。
【００９２】
上述のように、制御部は、光源１０，２０，３０を断続的に順次切り換えて発光させるパルス発光モードと、光源１０，２０，３０のうち少なくとも１つの光源を常時発光させる常時発光モードとを有しており、これらの発光モードを切り替えることができる。そして、制御部は、ユーザにより選択された発光モードに応じて光源１０，２０，３０およびボイスコイルモータ５０を制御するようになっている。
【００９３】
具体的には、ユーザによりパルス発光モードが選択された場合には、制御部は、ボイスコイルモータ５０と同期して光源１０，２０，３０を断続的に順次切り換えて発光させるようになっている。一方、ユーザにより常時発光モードが選択された場合には、制御部は、ボイスコイルモータ５０（導光部４０）を停止させた状態で、導光部４０から矢印Ａの示す方向に射出される光源を常時発光させるようになっている。
【００９４】
上記構成を有する本実施形態に係る照明装置４によれば、制御部により、ボイスコイルモータ５０を停止させた状態、すなわち導光部４０が停止された状態で、光源１０，２０，３０のうち特定の光源が常時発光させられて、導光部４０から矢印Ａの示す方向に照明光が射出される。これにより、特定の光源からの照明光、すなわち特定色の照明光を、導光部４０から矢印Ａの示す方向に連続的に射出することができる。
【００９５】
また、制御部が、光源１０，２０，３０を断続的に順次切り換えて発光させるパルス発光モードと、少なくとも１つの光源を常時発光させる常時発光モードとを有することで、用途に応じて高強度の照明光と特定色の照明光とを切り替えて射出することができる。例えば、光源１０，２０，３０の照明光をＲ，Ｇ，Ｂの光とすることで、パルス発光モードではＲ，Ｇ，Ｂの光を重畳して白色光を照射し、常時発光モードではＲ，Ｇ，Ｂのいずれかの光を照射することができる。
【００９６】
また、光源１０，２０，３０が配置された平面上にダイクロイックプリズム４４が配置されるようにボイスコイルモータ５０（導光部４０）を停止させた状態において、第１の光源１０および第３の光源３０を常時発光（ＤＣ発光）させることで、第１の光源１０からの照明光と第３の光源３０からの照明光とを合成して、合成した照明光を導光部４０から同一方向（矢印Ａの示す方向）に連続的に射出することができる。
【００９７】
なお、本実施形態に示す例において、ダイクロイックプリズム４４が、第１の光源１０からの照明光を透過させる一方、第３の光源３０からの照明光を反射する特性を有していることとして説明したが、光源１０，２０，３０のうち、少なくとも１つの光源からの照明光を透過させる一方、他の光源からの照明光を反射する特性を有していればよい。また、ダイクロイックプリズム４４に代えて、同様の特性を有するダイクロイックミラー等の光学部材を採用することとしてもよい。
【００９８】
また、本実施形態において、パルス発光モード時には、光源１０，２０，３０の全てをパルス発光させる必要はない。具体的には、図１０に示す例において、導光部４０の往復運動開始時における光学部材４１の中心位置が０．０ｍｍ、導光部４０の振幅が４ｍｍであるとして説明したが、例えば、導光部４０の往復運動開始時における光学部材４１の中心位置を−２．０ｍｍ、導光部４０の振幅を２ｍｍとしてもよい。この場合には、第１の光源１０と第３の光源３０を順次切り換えてパルス発光させればよい。このように、照射したい照明光によって、導光部４０の初期位置および振幅を変化させるとともに、パルス発光させる光源を切り替えることとしてもよい。なお、上記の制御は、他の実施形態にも適用可能であることは言うまでもない。
【００９９】
［変形例］
本実施形態に係る照明装置４の変形例として、図２５に示すように、導光部４０は、図２に示す第１の実施形態と同様の構成（光学部材４１、プリズム４２、プリズム４３）に、前述のダイクロイックプリズム４４を連結することとしてもよい。
このような構成とすることで、図２４に示す構成と同様に、特定の光源からの照明光、すなわち特定色の照明光を、導光部４０から矢印Ａの示す方向に連続的に射出することができる。
【０１００】
以上、本発明の各実施形態について図面を参照して詳述してきたが、具体的な構成はこの実施形態に限られるものではなく、本発明の要旨を逸脱しない範囲の設計変更等も含まれる。また、本発明を上記の実施形態および変形例を適宜組み合わせた実施形態に適用してもよい。例えば、第４の実施形態に係る照明装置４において、光源１０，２０，３０として、第２の実施形態のように複数の発光体ユニットから構成される光源を採用してもよい。
【０１０１】
また、各実施形態において、導光部４０の周りに円環状に配置した複数の光源として、３つの光源（光源１０，２０，３０）を備えていることとして説明したが、光源は２つでもよく、４つ以上としてもよく、導光部４０で連結して構成される光学部材、プリズム、ダイクロイックプリズムの総数は、５つ以上でもよい。
また、各光源の点灯タイミングと導光部４０の移動の制御方法に関しては、必ずしも複数の光源全てを短い周期で断続的に順次切り換えて点灯させる必要はなく、１つの光源を他の光源に比べ長い時間点灯させても良いし、あるいは全ての光源を長時間点灯させても良い。さらには、点灯する光源の順序を常に循環させる必要もなく、例えば、第１の光源、第２の光源、第１の光源、第２の光源、第３の光源、のように入れ替えても良い。
【０１０２】
また、第１の実施形態において、各光源の点灯周期は、第１の光源１０が１２０Ｈｚ、第２の光源２０が６０Ｈｚ、第３の光源３０が６０Ｈｚと設定した例を説明したが、全ての光源を同じ点灯周期としてもよく、全ての光源を異なる点灯周期としてもよい。この場合には、第１の光源１０の点灯期間が、第２の光源２０の点灯期間および第３の光源３０の点灯期間が重複するようにすることで、導光部４０から連続的に照明光を射出することができる。
【符号の説明】
【０１０３】
１，２，３，４  照明装置
１Ｒ，１Ｇ，１Ｂ  照明装置
１０  第１の光源
１１  第１の発光体
１５，１６，１７  発光体ユニット
２０  第２の光源
２１  第２の発光体
２５，２６，２７  発光体ユニット
２８  第１のダイクロイックプリズム（光合成部）
２９  第２のダイクロイックプリズム（光合成部）
３０  第３の光源
３１  第３の発光体
３５，３６，３７  発光体ユニット
３８  第１のダイクロイックプリズム（光合成部）
３９  第２のダイクロイックプリズム（光合成部）
４０  導光部
４１  光学部材
４２  プリズム
４３  プリズム
４４  ダイクロイックプリズム（光学部材）
４５  保持部
４６  保持鏡枠
５０  ボイスコイルモータ（移動機構）
７０  光合成部
【図１】
2012023013.tif 000003
【図２】
2012023013.tif 000004
【図３】
2012023013.tif 000005
【図４】
2012023013.tif 000006
【図５】
2012023013.tif 000007
【図６】
2012023013.tif 000008
【図７】
2012023013.tif 000009
【図８】
2012023013.tif 000010
【図９】
2012023013.tif 000011
【図１０】
2012023013.tif 000012
【図１１】
2012023013.tif 000013
【図１２】
2012023013.tif 000014
【図１３】
2012023013.tif 000015
【図１４】
2012023013.tif 000016
【図１５】
2012023013.tif 000017
【図１６】
2012023013.tif 000018
【図１７】
2012023013.tif 000019
【図１８】
2012023013.tif 000020
【図１９】
2012023013.tif 000021
【図２０】
2012023013.tif 000022
【図２１】
2012023013.tif 000023
【図２２】
2012023013.tif 000024
【図２３】
2012023013.tif 000025
【図２４】
2012023013.tif 000026
【図２５】
2012023013.tif 000027
【手続補正書】
【提出日】平成23年5月13日(2011.5.13)
【手続補正１】
【補正対象書類名】特許請求の範囲
【補正対象項目名】全文
【補正方法】変更
【補正の内容】
【特許請求の範囲】
【請求項１】
光軸が同一平面上に存在し、前記光軸が同一位置において交差するように配置された複数の光源と、
該複数の光源から射出された照明光をそれぞれ同一方向に導光する複数の導光部材が全ての前記光軸に直交する軸方向に連結された導光部と、
該導光部を前記軸方向に往復移動させる移動機構と、
該移動機構と同期して前記複数の光源を断続的に順次切り換えて発光させる制御部とを備える照明装置。
【請求項２】
前記複数の導光部材が、少なくとも１つの前記光源から射出された照明光を前記同一方向に反射するプリズムと、少なくとも１つの前記光源から射出された照明光を前記同一方向に透過する光学部材である請求項１に記載の照明装置。
【請求項３】
前記複数の光源のうち少なくとも１つが、
互いに異なる発光スペクトルを有する複数の発光体と、
該複数の発光体から発せられた光を合成して前記同一位置に向けて射出する光合成部とを有する請求項１に記載の照明装置。
【請求項４】
前記複数の導光部材が間隔を空けて連結されている請求項１に記載の照明装置。
【請求項５】
前記複数の導光部材間に反射部材が設けられている請求項１に記載の照明装置。
【請求項６】
前記制御部が、前記移動機構を停止させた状態で、前記導光部から前記同一方向に射出される少なくとも１つの前記光源を常時発光させる請求項１に記載の照明装置。
【請求項７】
前記制御部が、前記複数の光源を断続的に順次切り換えて発光させるパルス発光モードと、少なくとも１つの前記光源を常時発光させる常時発光モードとを有し、選択された発光モードに応じて前記光源および前記移動機構を制御する請求項６に記載の照明装置。
【請求項８】
前記複数の導光部材のうち少なくとも１つが、前記複数の光源のうち一方の光源からの照明光を前記同一方向に透過させる一方、他方の光源からの照明光を前記同一方向に反射する光学部材である請求項６に記載の照明装置。
【手続補正２】
【補正対象書類名】明細書
【補正対象項目名】０００６
【補正方法】変更
【補正の内容】
【０００６】
上記課題を解決するために、本発明は以下の手段を採用する。
本発明は、光軸が同一平面上に存在し、前記光軸が同一位置において交差するように配置された複数の光源と、該複数の光源から射出された照明光をそれぞれ同一方向に導光する複数の導光部材が全ての前記光軸に直交する軸方向に連結された導光部と、該導光部を前記軸方向に往復移動させる移動機構と、該移動機構と同期して前記複数の光源を断続的に順次切り換えて発光させる制御部とを備える照明装置を採用する。
【手続補正３】
【補正対象書類名】明細書
【補正対象項目名】０００７
【補正方法】変更
【補正の内容】
【０００７】
本発明によれば、移動機構により導光部が全ての光軸に直交する軸方向に往復移動させられると、軸方向に連結された複数の導光部材のうち、いずれかの導光部材が、常に、いずれかの光源の光軸に一致させられる。そして、制御部により、移動機構と同期してこれら光源が断続的に順次切り換えて発光させられる。これにより、複数の光源から射出された高強度の照明光を、連続的に同一方向に導光し、該同一方向に重畳して射出することができる。したがって、本発明によれば、高輝度の照明光を射出するとともに、装置の小型化を図ることができる。
【手続補正４】
【補正対象書類名】明細書
【補正対象項目名】００１０
【補正方法】変更
【補正の内容】
【００１０】
上記発明において、前記複数の光源のうち少なくとも１つが、互いに異なる発光スペクトルを有する複数の発光体と、該複数の発光体から発せられた光を合成して前記同一位置に向けて射出する光合成部とを有することとしてもよい。